【手続補正書】
【提出日】平成18年3月22日(2006.3.22)
【手続補正１】
【補正対象書類名】明細書
【補正対象項目名】特許請求の範囲
【補正方法】変更
【補正の内容】
【特許請求の範囲】
【請求項１】  超高速ＭＲＩシステムにおいて使用されるＥＰＩパルスシーケンスを前調整して、勾配磁場の異常を打ち消すことによって、磁気共鳴画像の品質を向上する方法であって、制御手段により前記システムを制御する方法において、
（ｉ）超高速ＭＲＩシステムで、オフに切換えられた位相エンコード勾配で、変更されたＥＰＩパルスシーケンスを実行して、それによって共同シーケンス診断パラメータを求めることであって、前記共同シーケンス診断パラメータが、エコー獲得ウインドウの中心からのΔ分のエコーの中心の共同のずれ、奇数のエコーの中心からのδ分の偶数のエコーの中心の共同のシフト、およびエコー当りにσの量分のエコーの中心の共同の線形のドリフトの中の少なくとも１つを含むことと、
（ｉｉ）前記求められた共同シーケンス診断パラメータから、ＥＰＩシーケンスのシーケンス前調整パラメータを計算することと、
（ｉｉｉ）次のＥＰＩパルスシーケンスが実行されるときに、前記計算された前調整パラメータにしたがって、次に実行されるＥＰＩパルスシーケンスを変更し、それによって次のＥＰＩパルスシーケンスが実行されるときに、向上した磁気共鳴画像を求めることとを含む方法。
【請求項２】  前記共同シーケンス診断パラメータが、各エコー信号の中心を判断して、
【数１】
2004242771.tif 000001
にしたがって、前記共同診断パラメータの少なくとも１つを計算することによって求められる請求項１記載の方法。
【請求項３】  前記計算プロセスが、
【数２】
2004242771.tif 000002
にしたがって、ｇ０の量分の読み出し勾配のオフセットを計算することとの中の少なくとも１つを含む請求項２記載の方法。
【請求項４】  前記変更プロセスが、ＥＰＩパルスシーケンスの勾配読み出しパルスシーケンスを変更することを含む請求項１記載の方法。
【請求項５】  前記ＥＰＩパルスシーケンスが、エコープレーナイメージングプロセスにおいて使用される請求項１記載の方法。
【請求項６】  前記ＥＰＩパルスシーケンスが、エコーボリュームイメージングプロセスにおいて使用される請求項１記載の方法。
【請求項７】  超高速ＭＲＩシステムにおいてＥＰＩパルスシーケンスを前調整して、勾配磁場の異常を打ち消すことによって、磁気共鳴画像の品質を向上する装置であって、
超高速ＭＲＩシステムで、オフに切換えられた位相エンコード勾配で、変更されたＥＰＩパルスシーケンスを求めて、それによって共同シーケンス診断パラメータを求めるためのシーケンス診断手段であって、前記共同シーケンス診断パラメータが、エコー獲得ウインドウの中心からのΔ分のエコーの中心の共同のずれ、奇数のエコーの中心からのδ分の偶数のエコーの中心の共同のシフト、および１エコー量分のエコーの中心の共同の線形のドリフトの中の少なくとも１つを含むシーケンス診断手段と、
前記求められた共同シーケンス診断パラメータから、ＥＰＩシーケンスのシーケンス前調整パラメータを計算するための計算手段と、
次のＥＰＩパルスシーケンスが実行されるときに、前記計算された前調整パラメータにしたがって、ＥＰＩパルスシーケンスを変更し、それによって次のＥＰＩパルスシーケンスが実行されるときに、向上した磁気共鳴画像を求めるための画像化手段とを含む装置。
【請求項８】  前記共同シーケンス診断パラメータが、各エコー信号の中心を判断して、
【数３】
2004242771.tif 000003
にしたがって、前記共同診断パラメータの少なくとも１つを計算することによって求められる請求項７記載の装置。
【請求項９】  前記計算手段が、
【数４】
2004242771.tif 000004
にしたがって、ｇ０の量分の読み出し勾配のオフセットを計算することとの中の少なくとも１つを計算する請求項８記載の装置。
【請求項１０】  前記画像化手段が、ＥＰＩパルスシーケンスの勾配読み出しのパルスシーケンスを変更する請求項７記載の装置。
【請求項１１】  前記装置が、エコープレーナイメージングシステムにおいて使用される請求項７記載の装置。
【請求項１２】  前記装置が、エコーボリュームイメージングシステムにおいて使用される請求項７記載の装置。
【請求項１３】  超高速ＭＲＩシステムにおいて使用されるＥＰＩパルスシーケンスを前調整して、勾配磁場の異常を打ち消すことによって、磁気共鳴画像の品質を向上する方法であって、制御手段により前記システムを制御する方法において、
（ｉ）超高速ＭＲＩシステムで、オフに切換えられた位相エンコード勾配で、変更されたＥＰＩパルスシーケンスを実行して、それによって共同シーケンス診断パラメータを求めることであって、前記共同シーケンス診断パラメータが、各エコー信号の中心を判断して、
【数５】
2004242771.tif 000005
にしたがって、前記共同診断パラメータの少なくとも１つを計算することによって求められることと、
（ｉｉ）前記求められたシーケンス診断パラメータから、ＥＰＩシーケンスのシーケンス前調整パラメータを計算することと、
（ｉｉｉ）次のＥＰＩパルスシーケンスが実行されるときに、前記計算された前調整パラメータにしたがって、次に実行されるＥＰＩパルスシーケンスを変更し、それによって次のＥＰＩパルスシーケンスが実行されるときに、向上した磁気共鳴画像を求めることとを含む方法。
【請求項１４】  前記計算プロセスが、
【数６】
2004242771.tif 000006
にしたがって、ｇ０の量分の読み出し勾配のオフセットを計算することとの中の少なくとも１つを含む請求項１３記載の方法。
【請求項１５】  前記変更プロセスが、ＥＰＩパルスシーケンスの勾配読み出しパルスシーケンスを変更することを含む請求項１３記載の方法。
【請求項１６】  前記ＥＰＩパルスシーケンスが、エコープレーナイメージングプロセスにおいて使用される請求項１３記載の方法。
【請求項１７】  前記ＥＰＩパルスシーケンスが、エコーボリュームイメージングプロセスにおいて使用される請求項１３記載の方法。
【請求項１８】  超高速ＭＲＩシステムにおいてＥＰＩパルスシーケンスを前調整して、勾配磁場の異常を打ち消すことによって、磁気共鳴画像の品質を向上するための装置であって、
超高速ＭＲＩシステムで、オフに切換えられた位相エンコード勾配で、変更されたＥＰＩパルスシーケンスを求めて、それによって共同シーケンス診断パラメータを求めるためのシーケンス診断手段であって、前記共同シーケンス診断パラメータが、各エコー信号の中心を判断して、
【数７】
2004242771.tif 000007
にしたがって、前記共同診断パラメータの少なくとも１つを計算することによって求められるシーケンス診断手段と、
前記求められた共同シーケンス診断パラメータからＥＰＩシーケンスのシーケンス前調整パラメータを計算するための計算手段と、
次のＥＰＩパルスシーケンスが実行されるときに、前記計算された前調整パラメータにしたがって、ＥＰＩパルスシーケンスを変更し、それによって次のＥＰＩパルスシーケンスが実行されるときに、向上した磁気共鳴画像を求めるための画像化手段とを含む装置。
【請求項１９】  前記計算手段が、
【数８】
2004242771.tif 000008
にしたがって、ｇ０の量分の読み出し勾配のオフセットを計算することとの中の少なくとも１つを計算する請求項１８記載の装置。
【請求項２０】  前記画像化手段が、ＥＰＩパルスシーケンスの勾配読み出しのパルスシーケンスを変更する請求項１８記載の装置。
【請求項２１】  前記装置が、エコープレーナイメージングシステムにおいて使用される請求項１８記載の装置。
【請求項２２】  前記装置が、エコーボリュームイメージングシステムにおいて使用される請求項１８記載の装置。
【手続補正２】
【補正対象書類名】明細書
【補正対象項目名】００２４
【補正方法】変更
【補正の内容】
【００２４】
シーケンス調整パラメータと診断パラメータとは、次の式にしたがって関係している：
【数９】
2004242771.tif 000009
【手続補正３】
【補正対象書類名】明細書
【補正対象項目名】００２７
【補正方法】変更
【補正の内容】
【００２７】
【数１０】
2004242771.tif 000010